Podtech/llm-jp-corpus-v4-ja_patent huggingface dataset:
【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
圧力容器を密封するための封鎖機構であって、
容器に取付けるためのネックがであって、アクセス・ポート、及び、ドアが閉位置にあるときに、円周方向のロッキング部材を半径方向に受けるための内側輪郭を有するネックと、ネック内のアクセス・ポートを封鎖する大きさのドアとを具備し、
ドアをネックに固定するために、ドアにより保持された円周方向のロッキング部材で、そのロッキング部材は半径方向内側の開位置と半径方向外側の閉位置との間を半径方向に移動可能であり、
更に、ロッキング部材が閉位置にあるとき、ネックとドアの間を密封するためのシールと、ロッキング部材を開位置と閉位置との間で動かすための操作機構とを具備し、
ロッキング部材が、複数のロッキング・セグメントから成り、
複数のロッキング・セグメントが、ロッキング・セグメントの各々の半径方向内側の開口スロット内に位置付けられたフレキシブル・バンドにより相互結合されており、
ロッキング部材の各々が、スロット内にフレキシブル・バンドを保持するようにフレキシブル・バンドよりも幅の狭いネック部分を有する
ことを特徴とする封鎖機構。
【請求項２】
更に、ロッキング部材の半径方向の縮小を防ぐためにロッキング部材内の円周方向のギャップ内にある固定位置と、ロッキング部材の半径方向の縮小を可能にするためにその円周方向のギャップから半径方向の間隔を置いた解除位置の間を移動できるロッキング・セグメントを具備する請求項１に記載の封鎖機構。
【請求項３】
更に、閉位置から開位置に移動可能な手動レバー、及びそのレバーと対になっている制御フィンガーのそれぞれを相互接続し、そのレバーの運動により各制御フィンガーが直線的に動いてロッキング部材を開閉するリンク機構を具備する請求項１に記載の封鎖機構。
【請求項４】
更に、レバーに対してロッキング部材の位置を変えるためにリンク機構を調節できる調節部材を具備する請求項３に記載の封鎖機構。
【請求項５】
圧力容器に取付けられたネック内のアクセスポートを封鎖する大きさのドアを開閉する方法であって、
複数のロッキングセグメントから周囲ロッキング部材を形成すること、１つのセグメントの端部が、ロッキングセグメントの各々内の半径方向内側の開口スロット内に位置付けられたフレキシブル・バンドによって隣接するセグメントに相互連結されること、
ロッキング部材の各々が、スロット内にフレキシブル・バンドを保持するようにフレキシブル・バンドよりも幅の狭い幅のネック部分を有すること、
ロッキング部材が、ドア上に支持され、ドアを開くための開位置とドアでネック内のアクセスポートを封鎖するための閉位置との間を移動可能であり、
ドアが閉位置にあるときに、ロッキング部材を半径方向に収容するためのネックに内側輪郭を提供すること、
ロッキング部材を、ロッキングリングが半径方向に引っ込んだ開位置からロッキング部材が、ネックの内側輪郭内に半径方向に延びた閉位置に移動させること、及び
ロッキング部材が閉位置にあるときに、ドアとネックとを密封すること
を含むことを特徴とする方法。
【請求項６】
更に、ドアを開閉するために、レバーを開位置から閉位置に動かすこと、及び、
そのレバーを、対になっている制御部材のそれぞれと相互に結合するリンク機構を設け、そのレバーの運動により制御フィンガーのそれぞれを直線的に動かして、ロッキング部材を開閉すること、
を含む請求項５に記載の方法。
【請求項７】
更に、レバーとリンク機構を相互に結合すること、
リンク機構を円周方向のロッキング部材の両端と相互に結合すること、及び、
開位置と閉位置の間でリンク部材を動かすためにレバーを動かすこと
を含む請求項５に記載の方法。
【請求項８】
更に、ロッキング部材の半径方向の縮小を防ぐためにロッキング部材内の円周方向のギャップ内にある固定位置と、ロッキング部材の半径方向の縮小を可能にするためにその円周方向のギャップから半径方向の間隔を置いた解除位置の間でロッキング・セグメントを移動することを含む請求項５に記載の方法。
【請求項９】
圧力容器を密封するための封鎖機構において、
容器に取付けるためのネックであり、アクセス・ポート、及びロッキング部材を半径方向で受けるための内側輪郭を有しているネックと、ネック内のアクセス・ポートを封鎖する大きさで、且つドアを閉めるとき、ネック内にはめ込まれるドアとを具備し、
ロッキング部材が、ドアをネックにロックするようにドアによって支持されており、
ロッキング部材が複数のロッキングセグメントを含み、ロッキング部材が、半径方向に引っ込んだ開位置と半径方向に延びた閉位置との間を半径方向に移動可能であり、
更に、ロッキング部材が閉位置にあるとき、ネックとドアとの間を密封するシールと、複数のロッキングセグメントに取り外し可能に連結可能であり、ロッキングセグメントの各々の半径方向内側の開口スロット内に位置付けられたフレキシブル・バンドと、ロッキング部材を開位置と閉位置の間で動かすための操作機構とを具備する
ことを特徴とする封鎖機構。
【請求項１０】
更に、ロッキング部材が半径方向に縮小するのを防止するために、ロッキング部材内の円周方向のギャップ内にある固定位置と、そのロッキング部材の半径方向の縮小を可能にするためにその円周方向のギャップから半径方向に間隔を置いた解除位置の間を移動できるロッキング・セグメントを具備する請求項９に記載の封鎖機構。
【請求項１１】
シールが、圧力により機能する弾性シール、及びその圧力により機能するシールを保持するためのバックアップ・リングを備えている請求項９に記載の封鎖機構。
【請求項１２】
操作機構には一対の制御部材が含まれ、そのそれぞれがドアに対して実質的に直線的に運動を行ない、かつ、円周方向のロッキング部材のそれぞれの端部に揺動可能に結合されている請求項９に記載の封鎖機構。
【請求項１３】
更に、閉位置から開位置へ移動可能な手動レバー、及び、
そのレバーを、対になっている制御フィンガーのそれぞれに相互に結合しているリンク機構で、そのレバーの動きにより制御フィンガーのそれぞれが直線的に運動をして、ロッキング部材の開閉を行なう請求項９に記載の閉鎖機構。
【請求項１４】
複数のロッキング部材が、可撓性バンドをスロットに保持するための、可撓性バンドよりも幅の狭いネック部分を有する請求項９に記載の閉鎖機構。
【手続補正書】
【提出日】平成18年6月1日(2006.6.1)
【手続補正１】
【補正対象書類名】特許請求の範囲
【補正対象項目名】請求項１
【補正方法】変更
【補正の内容】
【請求項１】
回転子軸受システム用のスラスト荷重容量増加装置であって、
回転子軸受システムの回転軸上に取り付けられた固定子；
回転子軸受システムの回転軸上に取り付けられ、第１の空隙によって該固定子から隔てられた回転子；及び
第２の空隙によって該回転子又は該固定子から隔てられた少なくとも１個の永久磁石
を含み、
該少なくとも１個の永久磁石、該固定子と該回転子が磁気回路を形成し、該磁気回路の磁束通路が、該第１の空隙と第２の空隙において、回転子と固定子との間に外力Ｆextに対抗する補償力を生成することを特徴とするスラスト荷重容量増加装置。
【手続補正２】
【補正対象書類名】特許請求の範囲
【補正対象項目名】請求項３
【補正方法】変更
【補正の内容】
【請求項３】
該少なくとも１個の永久磁石が該固定子に固定され、第２の空隙によって該回転子から隔てられていることを特徴とする請求項１に記載のスラスト荷重容量増加装置。
【手続補正３】
【補正対象書類名】特許請求の範囲
【補正対象項目名】請求項４
【補正方法】変更
【補正の内容】
【請求項４】
該少なくとも１個の永久磁石が該回転子に固定され、第２の空隙によって該固定子から隔てられていることを特徴とする請求項１に記載のスラスト荷重容量増加装置。
【手続補正４】
【補正対象書類名】特許請求の範囲
【補正対象項目名】請求項５
【補正方法】変更
【補正の内容】
【請求項５】
該少なくとも１個の永久磁石の第１の永久磁石が該固定子に固定され、第２の空隙によって該回転子から隔てられており、該少なくとも１個の永久磁石の第２の永久磁石が該回転子に固定され、第２の空隙によって該固定子から隔てられていることを特徴とする請求項１に記載のスラスト荷重容量増加装置。
【手続補正５】
【補正対象書類名】特許請求の範囲
【補正対象項目名】請求項２０
【補正方法】変更
【補正の内容】
【請求項２０】
回転子軸受システムのスラスト荷重容量を増加する方法であって、
以下の工程：
回転子軸受システムの回転軸上に固定子を提供する；
回転子軸受システムの回転軸上に、第１の空隙によって該固定子から隔てられた回転子を提供する；そして
第２の空隙によって該回転子又は該固定子から隔てられた少なくとも１個の永久磁石を提供する
を含み、
該少なくとも１個の永久磁石、該固定子と該回転子が磁気回路を形成し、該磁気回路の磁束通路が、該第１の空隙と該第２の空隙において、回転子と固定子との間に外力Ｆextに対抗する補償力を生成することを特徴とする方法。
【手続補正６】
【補正対象書類名】明細書
【補正対象項目名】０００９
【補正方法】変更
【補正の内容】
【０００９】
発明の概要 
より具体的には、本発明によって提供されるのは、回転子軸受システム用のスラスト荷重容量増加装置（すなわち回転子軸受システム用のスラスト荷重緩和装置）であって、
回転子軸受システムの回転軸上に取り付けられた固定子；
回転子軸受システムの回転軸上に取り付けられ、第１の空隙によって該固定子から隔てられた回転子；及び
第２の空隙によって該回転子又は該固定子から隔てられた少なくとも１個の永久磁石
を含み、
該少なくとも１個の永久磁石、該固定子と該回転子が磁気回路を形成し、該磁気回路の磁束通路が、該第１の空隙と第２の空隙において、回転子と固定子との間に外力Ｆextに対抗する補償力を生成することを特徴とするスラスト荷重容量増加装置である。
【手続補正７】
【補正対象書類名】明細書
【補正対象項目名】００１０
【補正方法】変更
【補正の内容】
【００１０】
更に提供されるのは、回転子軸受システムのスラスト荷重容量を増加する方法（すなわち回転子軸受システムのスラスト荷重を緩和するための方法）であって、
以下の工程：
回転子軸受システムの回転軸上に固定子を提供する；
回転子軸受システムの回転軸上に、第１の空隙によって該固定子から隔てられた回転子を提供する；そして
第２の空隙によって該回転子又は該固定子から隔てられた少なくとも１個の永久磁石を提供する
を含み、
該少なくとも１個の永久磁石、該固定子と該回転子が磁気回路を形成し、該磁気回路の磁束通路が、該第１の空隙と第２の空隙において、回転子と固定子との間に外力Ｆextに対抗する補償力を生成することを特徴とする方法である。
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
復号されたオーディオ信号の連続したフラグメントを変更して後処理されたオーディオ信号の連続したフラグメントを提供するように構成されたポストプロセッサと、
前記後処理に起因して、前記後処理されたオーディオ信号の前記連続したフラグメントを符合化する際に導入される量子化雑音が可聴になる程度を決定するための歪み検出器と、
前記程度に従って前記ポストプロセッサを制御するように構成された調整器と、
を有するオーディオシステム。
【請求項２】
請求項１に記載のオーディオシステムにおいて、
前記後処理されたオーディオ信号の前記連続したフラグメントのためのマスキング閾値の推定を提供するように構成されたマスキング閾値生成器と、
前記後処理されたオーディオ信号の前記連続したフラグメントのための雑音レベルの推定を提供するように構成された雑音レベル検出器と、
を有し、
前記歪み検出器は、前記程度を、前記後処理されたオーディオ信号の前記連続したフラグメントについて前記雑音レベルが前記マスキング閾値を越える程度に従って決定する、
オーディオシステム。
【請求項３】
請求項２に記載のオーディオシステムにおいて、更に、オーディオストリームを読み取って前記復号されたオーディオ信号の前記連続したフラグメントを作成するように構成されたデコーダを有するオーディオシステム。
【請求項４】
請求項３に記載のオーディオシステムにおいて、前記デコーダは、前記復号されたオーディオ信号のフラグメントのステレオ符号化された連続した対を作成し、前記ポストプロセッサは、ステレオ拡張を前記復号されたオーディオ信号のフラグメントの前記連続した対に適用する、オーディオシステム。
【請求項５】
請求項２に記載のオーディオシステムにおいて、前記マスキング閾値生成器は、前記後処理されたオーディオ信号の前記連続したフラグメントを周波数領域に変換し、当該後処理されたオーディオ信号の当該変換された連続したフラグメントから前記マスキング閾値を導くように構成された音響心理学的モデル化部品を有する、オーディオシステム。
【請求項６】
請求項２に記載のオーディオシステムにおいて、前記マスキング閾値生成器は、オーディオ信号を読み取って前記オーディオ信号の連続したフラグメントを作成し、前記オーディオ信号の前記連続したフラグメントに前記ポストプロセッサと類似した後処理を適用して、類似した後処理をされたオーディオ信号の連続したフラグメントを得、当該類似した後処理をされたオーディオ信号の当該連続したフラグメントを周波数領域に変換し、当該類似した後処理をされたオーディオ信号から前記マスキング閾値を導くように構成された音響心理学的モデル化部品を有する、オーディオシステム。
【請求項７】
請求項２に記載のオーディオシステムにおいて、更に、復号されたオーディオ信号の前記連続したフラグメントを読み取って、そこから、前記オーディオ信号が復号されるオーディオストリームを符合化する際に使用される量子化レベルの表示を提供するように構成された逆デコーダを有するオーディオシステム。
【請求項８】
請求項３に記載のオーディオシステムにおいて、前記雑音レベル検出器は、前記オーディオストリームから、オーディオストリームを符合化する際に使用される量子化レベルを導くように構成される、オーディオシステム。
【請求項９】
請求項７又は８に記載のオーディオシステムにおいて、前記雑音レベル検出器は、前記量子化レベルから、前記復号されたオーディオ信号の前記連続したフラグメントの周波数領域における雑音レベルの分布を導き、前記ポストプロセッサと類似した後処理を雑音レベルの前記連続した分布に適用し、前記後処理されたオーディオ信号の前記連続したフラグメントの雑音レベルの連続した推定を提供するように構成される、オーディオシステム。
【請求項１０】
復号されたオーディオ信号の連続したフラグメントを後処理して後処理されたオーディオ信号の連続したフラグメントを提供するステップと、
前記後処理に起因して、前記後処理されたオーディオ信号の前記連続したフラグメントを符合化する際に導入される量子化雑音が可聴になる程度を決定するステップと、
前記程度に従って前記ポストプロセッサを制御するステップと、
を有する、オーディオストリームを処理する方法。
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
オーディオ信号を符合化する方法において、
複数の連続したセグメントの各々について、サンプリングされた信号値のそれぞれの組を提供するステップと、
前記サンプリングされた信号値を分析して、前記複数の連続したセグメントの各々について１つ又は複数の正弦波成分を生成するステップと、
複数の連続したセグメント間で正弦波成分をリンクするステップと、
前記複数の連続したセグメントの各々について、リンクされた正弦波成分のトラックを有する正弦波コードを生成するステップであって、前記トラックのそれぞれは、トラックの開始セグメントの正弦波成分の周波数及び振幅を有し、選択されたトラックは前記開始セグメントの位相を含まない、ステップと、
前記正弦波コードを含む符合化されたオーディオストリームを生成するステップと、
を有する方法。
【請求項２】
請求項１に記載の方法において、前記選択されたトラックは、前記開始セグメントの位相が含まれないことのインジケータを含む、方法。
【請求項３】
請求項１に記載の方法において、前記選択されたトラックは、長さが、５つのセグメント未満である、方法。
【請求項４】
請求項１に記載の方法において、前記選択されたトラックは、長さが、４０ｍｓ未満である、方法。
【請求項５】
請求項１に記載の方法において、前記選択されたトラックは、オーディオ信号の非音的成分を表す、方法。
【請求項６】
請求項１に記載の方法において、前記選択されたトラックは、前記オーディオ信号の有声時間間隔の成分を表す、方法。
【請求項７】
請求項１に記載の方法において、前記選択されたトラックは、前記オーディオ信号の雑音が多い間隔の成分を表す、方法。
【請求項８】
請求項１に記載の方法において、前記トラックのそれぞれは、当該トラックの次の継続セグメントの各正弦波成分の周波数及び振幅差を有する、方法。
【請求項９】
オーディオストリームを復号する方法において、
複数の連続したセグメントの各々についてのリンクされた正弦波成分のトラックを有する正弦波コードを含む符合化されたオーディオストリームを読み取るステップであって、前記トラックのそれぞれは、トラックの開始セグメントの正弦波成分の周波数及び振幅を有し、選択されたトラックは前記開始セグメントの位相を含まない、ステップと、
前記選択されたトラックのためにランダムな開始位相を生成するステップと、
複数の連続したセグメントに亘って正弦波成分を復元することを含む、前記正弦波コードを使用して前記オーディオ信号を合成するステップと、
を有する方法。
【請求項１０】
請求項９に記載の方法において、前記生成するステップは、前記選択されたトラックの各正弦波成分のためにランダム位相を生成することを有する、方法。
【請求項１１】
オーディオ信号の複数の連続したセグメントの各々についてのサンプリングされた信号値のそれぞれの組を処理するように構成されたオーディオコーダにおいて、
前記サンプリングされた信号値を分析して、前記複数の連続したセグメントの各々について１つ又は複数の正弦波成分を生成するように構成された解析器と、
複数の連続したセグメント間で正弦波成分をリンクするように構成されたリンカーと、
前記複数の連続したセグメントの各々について、リンクされた正弦波成分のトラックを有する正弦波コードを生成するように構成された部品であって、前記トラックのそれぞれは、トラックの開始セグメントの正弦波成分の周波数及び振幅を有し、選択されたトラックは前記開始セグメントの位相を含まない、部品と、
前記正弦波コードを含む符合化されたオーディオストリームを生成するためのビットストリーム生成器と、
を有するオーディオコーダ。
【請求項１２】
複数の連続したセグメントの各々についてのリンクされた正弦波成分のトラックを有する正弦波コードを含む符合化されたオーディオストリームを読み取るための手段であって、前記トラックのそれぞれは、トラックの開始セグメントの正弦波成分の周波数及び振幅を有し、選択されたトラックは前記開始セグメントの位相を含まない、手段と、
前記選択されたトラックのためにランダムな開始位相を生成するように構成された位相発生器と、
複数の連続したセグメントに亘って正弦波成分を復元することを含む、前記正弦波コードを使用して前記オーディオ信号を合成する合成器と、
を有するオーディオプレーヤ。
【請求項１３】
請求項１１に記載のオーディオコーダ及び請求項１２に記載のオーディオプレーヤを有するオーディオシステム。
【請求項１４】
オーディオストリームが記憶された記憶媒体において、前記オーディオストリームは、少なくともオーディオ信号の成分を表す正弦波コードを有し、前記コードは前記複数の連続したセグメント間でリンクされる正弦波成分のトラックを有し、前記トラックのそれぞれは、トラックの開始セグメントの正弦波成分の周波数及び振幅を有し、選択されたトラックは前記開始セグメントの位相を含まない、記憶媒体。
【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
医療用インプラントであって、以下の：
第一の表面を有する、生物学的に移植可能な構造であって、患者の体内に合うような大きさに作られた該移植可能な構造；及び
上記移植可能な構造の上記第一の表面と物理的に連絡している、複数のマイクロチューブ、
を含むことに特徴を有する、前記医療用インプラント。
【請求項２】
請求項１に記載のインプラントであって、
上記生物学的に移植可能な構造が第二の表面を有し、上記移植可能な構造の該第二の表面がチャンネルを定義し；及び
上記複数のマイクロチューブが、上記移植可能な構造の上記第二の表面と物理的に連絡していること、
に特徴を有する、前記インプラント。
【請求項３】
請求項１に記載のインプラントであって、
上記マイクロチューブがポリマー担体マトリックス内に含まれること、及び
上記マイクロチューブが隣同士でランダムに位置すること、
に特徴を有する、前記インプラント。
【請求項４】
請求項１に記載のインプラントであって、上記移植可能な構造が最初の断面積を有する最初のサイズから、第二の相対的により大きな断面積を有する第二のより大きなサイズに膨張可能であることに特徴を有する、前記インプラント。
【請求項５】
請求項１に記載のインプラントであって、上記移植可能な構造がそれ自身、マイクロチューブを含むことに特徴を有する、前記インプラント。
【請求項６】
請求項１に記載のインプラントであって、上記複数のマイクロチューブからの各マイクロチューブが互いに網掛けされて、柔軟な層を形成し、そしてスリーブを定義することに特徴を有する、前記インプラント。
【請求項７】
請求項１に記載のインプラントであって、上記移植可能な構造が、以下の：PICC,塞栓剤、動脈瘤コイル、ステント移植片、a-vシャント、バルーン、大静脈フィルター及び血管カテーテルを含む群から選ばれることに特徴を有する、前記インプラント。
【請求項８】
請求項１に記載のインプラントであって、
上記移植可能な構造が金属を含み、そして
上記複数のマイクロチューブが上記移植可能な構造の上記第一の表面に機械的に結合されていることに特徴を有する、前記インプラント。
【請求項９】
請求項８に記載のインプラントであって、上記複数のマイクロチューブが、上記移植可能な構造の上記第一の表面に焼結され、ろう付けされ、めっきされ、電解によって結合され、金属細工され、拡散によって結合され、又は溶接されることに特徴を有する、前記インプラント。
【請求項１０】
請求項１に記載のインプラントであって、上記マイクロチューブがセラミック及びカーボンを含む材料から作られることに特徴を有する、前記インプラント。
【請求項１１】
治療剤が上記複数のマイクロチューブ中に含まれることに特徴を有する、請求項１に記載のインプラント。
【請求項１２】
医療用インプラントの製造方法であって、以下のステップ：
複数のマイクロチューブを供給すること；
マイクロチューブの柔軟な層を生物学的に移植可能な医療用の構造上に設置すること；そして、
上記マイクロチューブを覆うために上記柔軟な層に治療剤を適用すること、
を含むことに特徴を有する、前記方法。
【請求項１３】
請求項１２に記載の方法であって、上記マイクロチューブの柔軟な層を生物学的に移植可能な医療用の構造上に設置することが、さらに以下のステップ：
上記柔軟な層を形成するために、上記マイクロチューブを一緒に網掛けすること；そして、
上記柔軟な層を、上記生物学的に移植可能な医療用の構造の表面上に適用すること、
を含むことに特徴を有する、前記方法。
【請求項１４】
請求項１３に記載の方法であって、上記柔軟な層を生物学的に移植可能な医療用の構造の表面上に適用する上記方法が、拡散による結合、金属細工、焼結、ろう付け、めっき、電解による結合又は溶接から成る群の１以上であることに特徴を有する、前記方法。
【請求項１５】
請求項１３に記載の方法であって、上記柔軟な層に治療剤を適用することがさらに以下のステップ：
治療剤を、上記柔軟な層を形成している上記マイクロチューブ中又はその間へ引き込むために、真空力を作動させること、
を含むことに特徴を有する、前記方法。
【請求項１６】
請求項１３に記載の方法であって、治療剤を上記柔軟な層に適用することが、さらに以下のステップ：
上記マイクロチューブの柔軟な層を治療剤中に浸漬すること、
を含むことに特徴を有する、前記方法。
【請求項１７】
請求項１２に記載の方法であって、上記生物学的に移植可能な医療用の構造が、最初の構成から第二の構成へ膨張可能であることに特徴を有する、前記方法。
【請求項１８】
請求項１２に記載の方法であって、上記生物学的に移植可能な医療用の構造が、以下の：PICC、塞栓剤、動脈瘤コイル、ステント移植片、a-vシャント、大静脈フィルター及び血管カテーテルを含む群から選ばれることに特徴を有する、前記方法。
【請求項１９】
請求項１３に記載の方法であって、ポリマーが、上記マイクロチューブを柔軟な層中へ網掛けするために使用されることに特徴を有する、前記方法。
【請求項２０】
請求項１９に記載の方法であって、上記柔軟な層の外部表面が上記治療剤を適用する前に研磨されることに特徴を有する、前記方法。
【請求項２１】
医療用インプラントの製造方法であって、以下のステップ：
複数のマイクロチューブを供給すること；
柔軟な層を形成するために、上記マイクロチューブを一緒に網掛けすること；
生物学的に移植可能な医療用の構造を形成するために、上記柔軟な層を操作すること；そして、
上記マイクロチューブを覆うために、治療剤を上記柔軟な層に適用すること、
を含むことに特徴を有する、前記方法。
【請求項２２】
請求項２１に記載の方法であって、上記柔軟な層に治療剤を適用することがさらに以下のステップ：
上記柔軟な層を形成している上記マイクロチューブ中へ治療剤を引き込むために、真空力を作り出すこと、
を含むことに特徴を有する、前記方法。
【請求項２３】
請求項２１に記載の方法であって、上記柔軟な層に治療剤を適用することがさらに以下のステップ：
マイクロチューブの上記柔軟な層を治療剤中に浸漬すること、
を含むことに特徴を有する、前記方法。
【請求項２４】
請求項２１に記載の方法であって、上記生物学的に移植可能な医療用の構造が、最初の構成から第二の構成へ膨張可能であることに特徴を有する、前記方法。
【請求項２５】
請求項２１に記載の方法であって、さらに以下のステップ：
上記生物学的に移植可能な医療用の構造を形成している上記柔軟な層の外部表面を研磨すること、
を含むことに特徴を有する、前記方法。
【請求項２６】
請求項２１に記載の方法であって、上記生物学的に移植可能な医療用の構造が、以下の：PICC、塞栓剤、動脈瘤コイル、ステント移植片、a-vシャント及び血管カテーテルから成る群の１の形状に形成されることに特徴を有する、前記方法。
【請求項２７】
請求項２１に記載の方法であって、ポリマーが柔軟な層中の上記マイクロチューブを網掛けするために使用されることに特徴を有する、前記方法。
【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
互いに反対側の第１の側と第２の側とを有する可撓性材料層であって、前記第１の側が摩擦係合面を有する可撓性材料層と、
互いに反対側の第１の面と第２の面とを有する可撓性支持体シートであって、前記支持体シートが中央部位および互いに反対側のタブ部分を有し、前記支持体シートの第１の面が前記可撓性材料層の第２の側に、前記支持体シートの中央部位で固定されている、可撓性支持体シートと、
前記支持体シートの第２の面の中央部位及びタブ部分に配置された接着剤と、前記各タブ部分は実質的に摩擦係合面を有していない、
を備える、使用者の付属物の一部に所望の摩擦界面領域を付与する装具であって、
前記支持体シートのタブ部分は、前記中央部位から離れる方向に延びる寸法が十分に長く、そのため、前記支持体シートの第２の面が使用者の付属物に粘着されるとき、前記タブ部分が付属物の周囲の少なくとも半分を延び、かつ、各タブ部分は少なくとも摩擦係合面の幅の長さを有している、前記摩擦装具。
【請求項２】
前記摩擦係合面が、可撓性ポリマーステムの配列によって画定される、請求項１に記載の装具。
【請求項３】
前記支持体シートが複数対の互いに反対側のタブ部分を有する、請求項１に記載の装具。
【請求項４】
使用者の付属物に可撓性支持体シートを包む段階であって、前記支持体シートが中央部位および前記中央部位から外側に延びるタブ部分を有し、前記タブ部分は少なくとも前記中央部位の長さを有している、段階
使用者の付属物に可撓性支持体シートの底面を接着し、前記支持体シートは、前記底面の反対側にある上面に、少なくとも１．１の静摩擦係数の摩擦ゾーンを有する段階、および
物品を扱うために前記摩擦ゾーンを物品と接触させる段階、
を含む、使用者の付属物と物品との間に所望の摩擦界面を付与する方法。
【請求項５】
前記摩擦ゾーンが前記中央部位にある、請求項４に記載の方法。
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
ヘッドハーネスが設けられる呼吸マスクと共に使用するアイウエア物品であって、
バイザ部を提供する平坦な透明ポリマ材料片と、
マスク係合位置決め手段と、
ハーネス係合位置決め手段と、を具備し、
前記マスクが着用されている間に、前記ハーネス係合位置決め手段を前記ヘッドハーネスから外すことができるようにしたことにより、前記着用者の顔面における該マスクの位置を妨げることなくかつ該マスクによって提供される前記呼吸保護に影響を与えることなく、該マスクと係合したままの状態で着用者の視線から取り除くことができ、
該マスク係合位置決め手段と該ハーネス係合位置決め手段とが、夫々、該マスクと該ヘッドハーネスとに係合可能であることにより、該平坦な透明ポリマ材料片が湾曲形状を呈するようになり、該マスクが着用されている時、該バイザ部が該着用者の眼の正面に配置されて該ポリマ材料片が該着用者の顔面の一方の側部から他方の側部まで延在し、
該マスクが着用されている間に該マスクおよび／または該ヘッドハーネスから外すことができるようにしたことにより、該着用者の顔面における該マスクの位置を妨げることなくかつ該マスクによって提供される呼吸保護に影響を与えることなく該着用者の視線から取り除くことができる、アイウエア物品。
【請求項２】
中央に位置する呼気弁を有しヘッドハーネスが設けられる呼吸マスクと共に使用するアイウエア物品であって、
バイザ部を提供する平坦な透明ポリマ材料片と、
マスク係合位置決め手段と、
ハーネス係合位置決め手段と、を具備し、
該マスク係合位置決め手段と該ハーネス係合位置決め手段とが、夫々、該マスクと該ヘッドハーネスとに係合可能であることにより、該平坦な透明ポリマ材料片が湾曲形状を呈するようになり、該マスクが着用されている時、該バイザ部が該着用者の眼の正面に配置されて該ポリマ材料片が該着用者の顔面の一方の側部から他方の側部まで延在し、
該マスクが着用されている間に該マスクおよび／または該ヘッドハーネスから外すことができるようにしたことにより、該着用者の顔面における該マスクの位置を妨げることなくかつ該マスクによって提供される呼吸保護に影響を与えることなく該着用者の視線から取り除くことができ、
マスク係合位置決め手段が、前記平坦なポリマ材料片に、該呼気弁構造の上に位置するような形状を有する開口を備えた、アイウエア物品。
【請求項３】
ヘッドハーネスが設けられる呼吸マスクと共に使用するアイウエア物品であって、
平坦で柔軟な透明ポリマ材料片を有し、
該ポリマ材料片は、バイザ部と、
呼吸マスクに係合可能な該バイザ部に取付られた、下方向に延在するマスク係合部と、
ポリマ材料片における折り線沿いに位置するバイザ部の対向するエッジに取付られたハーネス係合部と、を有し、
マスクが着用されている間、該マスクとヘッドハーネスとから取り外すことができるようになっている、アイウエア物品。
【請求項４】
ヘッドハーネスが設けられる呼吸マスクと共に使用するアイウエア物品であって、
平坦で柔軟な透明ポリマ材料片を有し、
該ポリマ材料片は、バイザ部と、
呼吸マスクに係合可能な該バイザ部に取付られた、下方向に延在するマスク係合部と、
ポリマ材料片における折り線沿いに位置するバイザ部の対向するエッジに取付られたハーネス係合部と、を有し、
マスクが着用されている間、マスクから取り外すことができ、ヘッドハーネスと係合しているときに着用者の視線から取り除くことができる、アイウエア物品。
【請求項５】
ヘッドハーネスが設けられる呼吸マスクと共に使用するアイウエア物品であって、
平坦で柔軟な透明ポリマ材料片を有し、
該ポリマ材料片は、バイザ部と、
呼吸マスクに係合可能な該バイザ部に取付られた、下方向に延在するマスク係合部と、
ポリマ材料片における折り線沿いに位置するバイザ部の対向するエッジに取付られたハーネス係合部と、を有し、
呼吸マスクは、中央に位置する呼気弁を有し、
下方向に延在するマスク係合部は、呼気弁と係合可能な開口を有する、アイウエア物品。
【請求項６】
ヘッドハーネスが設けられる呼吸マスクと共に使用するアイウエア物品であって、
平坦で柔軟な透明ポリマ材料片を有し、
該ポリマ材料片は、バイザ部と、
呼吸マスクに係合可能な該バイザ部に取付られた、下方向に延在するマスク係合部と、
ポリマ材料片における折り線沿いに位置するバイザ部の対向するエッジに取付られたハーネス係合部と、
バイザ部と折り線との中間位置にあるバイザ部の対向するエッジに位置するヒンジラインとを有する、アイウエア物品。
【請求項７】
ヘッドハーネスが設けられる呼吸マスクと共に使用するアイウエア物品であって、
平坦で柔軟な透明ポリマ材料片を有し、
該ポリマ材料片は、バイザ部と、
呼吸マスクに係合可能な該バイザ部に取付られた、下方向に延在するマスク係合部と、
ポリマ材料片における折り線沿いに位置するバイザ部の対向するエッジに取付られたハーネス係合部と、
上記折れ線間に位置し上部を横切って延在する少なくとも１つの湾曲した折れ線とを有する、アイウエア物品。
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
心臓組織の治療のために人の心臓の室内に挿入する装置において、近位端部分および遠位端部分を備えた可撓性細長部材と、該部材を挿入するための後退位置と心臓内の所望位置に遠位端部分を保持するための拡大位置との間で移動できる固定器具とを有し、該固定器具は電離放射線源を備え、該電離放射線源はこれに近接または接触する心臓組織を治療することを特徴とする装置。
【請求項２】
前記固定器具は複数のリブを有し、該リブは、後退位置において細長部材に対してほぼ平行に延びかつ細長部材を所望位置に保持する拡大位置へと移動でき、電離放射線源は１つ以上のリブに配置されていることを特徴とする請求項１記載の装置。
【請求項３】
前記遠位端部分または該遠位端部分の一部の形状を変化させる遠隔操作型制御手段を更に有することを特徴とする請求項１に記載の装置。
【請求項４】
前記遠隔操作型制御手段は、近位端部分と遠位端部分との間で細長部材を通って延びている１本の操縦ワイヤを有していることを特徴とする請求項３記載の装置。
【請求項５】
前記リブは、細長部材の遠位端部分が曲げられると、細長部材から離れた拡大位置へと移動するように配置され、細長部材は、該細長部材の遠位端部分を曲げるための遠隔制御可能なプルワイヤを有していることを特徴とする請求項２記載の装置。
【請求項６】
前記細長部材の遠位端部分には、心臓組織の電気生理学的特性を検出するための少なくとも１つの電極が設けられていることを特徴とする請求項１記載の装置。
【請求項７】
前記固定器具は膨張可能部材を有していることを特徴とする請求項１記載の装置。
【請求項８】
前記近位端部分と遠位端部分との間に延びかつ遠位端部分で放射線源通路に連通している戻り通路を更に有し、放射線源は、放射線源通路の近位端から遠位端へとかつ戻り通路の遠位端から近位端へと循環する流体により放射線源通路に沿って前進される少なくとも１つの放射性シーズを有していることを特徴とする請求項１記載の装置。
【請求項９】
所望位置で心臓組織と係合するように配置された予成形セクションを更に有することを特徴とする請求項１に記載の装置。
【請求項１０】
前記予成形セクションは、肺静脈の内表面と接触できるスパイラル形状を有していることを特徴とする請求項９記載の装置。
【請求項１１】
前記細長部材の予成形部分は、ガイドワイヤを遠位端部分から引出すと予め定めた形状をとることを特徴とする請求項９記載の装置。
【請求項１２】
遠位端部分および近位端部分と、これらの両端部間で延びている第一ルーメンおよび第二ルーメンとを有する細長可撓性カテーテルにおいて、第一ルーメンは、前記両部分の間に延びかつ遠位端部分でカテーテルに固定された操縦ワイヤを受入れ、第二ルーメンは前記前記両部分の間に延びかつ遠位端部分でカテーテルに固定された操縦ワイヤを受け入れ、少なくとも一方の操縦ワイヤは曲り適応セグメントを有し、該曲り適応セグメントは、押出し力または引張り力が加えられたときに、前記セグメントに近いカテーテルの曲りに適応することを特徴とする細長可撓性カテーテル。
【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
共に前眼房をなす角膜と水晶体とを含み、更に虹彩と前記前眼房に眼房水とを含む眼を有し、前記眼房水が血液中のブドウ糖レベルに対応する屈折率を有する、生体の血液中のブドウ糖レベルを測定する方法であって、
実質上二つのコヒーレント光束が角膜を通して虹彩の領域を照射するよう伝播させ、前記実質上二つのコヒーレント光束が眼房水を通して虹彩まで到達するようにし、
前記眼房水の前記屈折率に依存する空間的配置を有する複数の干渉縞を有する干渉縞パターンであって、この干渉縞パターンを前記虹彩の前記領域に形成するのに十分に可干渉性の前記二つの光を前記虹彩領域上において重ね合わせ、
前記干渉縞パターンを光検出器に投影し、および
前記干渉縞パターンの干渉縞の空間的配置から血液中のブドウ糖レベルを決定する生体の血液中のブドウ糖レベルを測定する方法。
【請求項２】
前記ブドウ糖レベルは、少なくとも一部分においては、前記干渉縞の空間的配置の極値を特定することにより測定される、請求項１に記載の方法。
【請求項３】
前記ブドウ糖レベルは、少なくとも一部分においては、前記干渉縞の間隔から測定される、請求項１に記載の方法。
【請求項４】
前記ブドウ糖レベルは、少なくとも一部分においては、前記干渉縞パターンの少なくとも断面プロファイルを曲線に当てはめて測定される、請求項１に記載の方法。
【請求項５】
前記ブドウ糖レベルは、少なくとも一部分においては、前記干渉縞パターンのグラフを参照表の公知のグラフと照合することにより測定される、請求項１に記載の方法。
【請求項６】
眼の特性を測定することによりブドウ糖変動を監視する装置であって、
光束を出射する光源と、
前記光源からの光束を受光し、前記光束を対応する第一および第二の光路に沿って伝播する第一および第二のプローブビームに分光するように設置された光学素子と、
第一および第二プローブビームが標的面において交差するように前記光路を変えるための、前記光路の一つにおける少なくとも一つの光学素子と、
光検出器及び前記光検出器に前記標的面を投影するための撮像光学部とを備える装置。
【請求項７】
前記光源がレーザーを備える、請求項６に記載の装置。
【請求項８】
前記光源からの光束を受光するよう設置された光学素子がビーム分割器を備える、請求項６に記載の装置。
【請求項９】
前記第一および第二のプローブビームが交差するように前記光路を変える前記少なくともひとつの光学素子が鏡を備える、請求項６に記載の装置。
【請求項１０】
前記撮像光学部がレンズを含む、請求項６に記載の装置。
【請求項１１】
更に、前記第二の光ビームを収束ビームに変換する集束光学部を前記第二の光路に備える、請求項６に記載の装置。
【請求項１２】
前記眼が曲率中心によって定義される外曲面を有する角膜を含み、前記集束光学部が、前記第二の光ビームを、実質的に前記角膜の外面の曲率中心と一致する曲率中心を持つ波面を有する収束ビームに変換するよう形成および設置される、請求項１１に記載の装置。
【請求項１３】
前記光検出器および前記撮像光学部は、Scheimpflug条件を満たすよう前記標的面と共に配列されている、請求項6に記載の装置。
【請求項１４】
更に、前記第一および第二プローブビームを前記眼に対して位置調整させる位置調整システムを備え、前記位置調整システムは位置調整状況を示す電子出力を有する光センサーを含む、請求項６に記載の装置。
【請求項１５】
更に、（i）前記位置調整システムに含まれる光センサーの電子出力および（ii）前記標的面が投影される光検出器に電気的に接続される電子部品を有し、前記電子部品は、前記光検出器が前記位置調整状況に基づいて前記標的面の像を捕捉するよう構成されることを特徴とする請求項１４に記載の装置。
【請求項１６】
眼を有する生体の血糖を監視する方法であって、
ブドウ糖濃度によって変化する屈折率をもつ眼房水を有する前記眼の一部に光を伝播し、
光学干渉を通して前記光に関連し、少なくとも一部は前記眼房水の前記屈折率に依存する位相情報を獲得し、
血液中のブドウ糖レベルを測定するために前記位相情報を使用する、方法。
【請求項１７】
位相情報を獲得するための前記工程が、干渉縞の分析を含む、請求項１６に記載の方法。
【請求項１８】
更に、較正のために前記位相情報を、前記生体の少なくともひとつの別に測定されたブドウ糖レベルと相関させることを特徴とする請求項１６に記載の方法。
【手続補正２】
【補正対象書類名】図面
【補正対象項目名】図５
【補正方法】変更
【補正の内容】
【図５】
2005532831.tif 000001
【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
らせん状プロテーゼを管腔に送るためのカテーテルであって、
近位端部と、遠位端部と、少なくとも１つの管腔とを有するカテーテル本体と、
カテーテル本体の管内の線状化エレメントと、
線状化エレメントの少なくとも１つの範囲に亘る部分を管腔に前進させ且つ後退させる手段とから成り、
自由な状態において、上記エレメントは人体管腔の閉止を禁止する骨組を形成すると共に液体が流れることの出来る開口した長い通路を有する非線形構造を形成していることを特徴とするカテーテル。
【請求項２】
前進させて後退させる手段が、エレメントを選択的に切断してエレメントの非線状部分をカテーテル本体から解放させる手段を含み、このエレメントの他の部分はカテーテル本体に残留している請求項１に記載のカテーテル。
【請求項３】
線状化エレメントが個々の長さに分割され、したがってこれらの長さはカテーテル本体の管から完全に進められると解放される請求項１に記載のカテーテル。
【請求項４】
線状化エレメントは、自由な状態にあるとき、ら線状構造になっている請求項１乃至３記載のカテーテル。
【請求項５】
線状化エレメントは過形成を抑制する活性物質で被覆か装荷されている請求項１乃至４記載のカテーテル。
【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
機能が既知及び未知の遺伝要素又は化学モジュレーターのライブラリーから細胞集団における遺伝要素又は化学モジュレーターの機能又は効果を決定するための方法であって、
ｉ）インジケーターの分布に影響する第一の化学モジュレーターの存在下及び非存在下で、細胞で発現したインジケーター核酸配列の分布を決定する工程であって、細胞がエフェクター核酸配列を同時発現するとともに第二の化学モジュレーターの存在下にある工程と、
ｉｉ）エフェクターとモジュレーターとインジケーターの全ての組合せで得られた分布データ分布データを解析して、機能的連関を導出しエフェクター及び第二のモジュレーターに対して機能を割り当てる工程と、
を含む方法。
【請求項２】
機能が既知及び未知の遺伝要素又は化学モジュレーターのライブラリーから細胞集団における遺伝要素又は化学モジュレーターの機能又は効果を決定するための方法であって、
ｉ）インジケーターの分布に影響する第一の化学モジュレーターの存在下で細胞で発現したインジケーター核酸配列の分布を決定する工程であって、細胞がエフェクター核酸配列を同時発現するとともに第二の化学モジュレーターの存在下にある工程と、
ｉｉ）第一の化学モジュレーターの非存在下においてインジケーター核酸配列について、上記ｉ）の分布データと、電気的又は光学的なデータベースに記録されている既知の分布データとを比較する工程と、
ｉｉｉ）エフェクターとモジュレーターとインジケーターの全ての組合せで得られた分布データ分布データを解析して、機能的連関を導出しエフェクター及び第二のモジュレーターに対して機能を割り当てる工程と、
を含む方法。
【請求項３】
前記エフェクター核酸配列が、タンパク質又はペプチドをコードし、ＤＮＡ、ｃＤＮＡ、ＲＮＡ及びタンパク質核酸からなる群から選択される、請求項１又は請求項２記載の方法。
【請求項４】
前記エフェクター核酸がアンチセンスオリゴヌクレオチドである、請求項１乃至請求項３のいずれか１項記載の方法。
【請求項５】
前記エフェクター核酸が、遺伝子サイレンシングを生じる低分子干渉ＲＮＡ（ｓｉＲＮＡ）である、請求項１乃至請求項３のいずれか１項記載の方法。
【請求項６】
前記エフェクター核酸が細胞発現ベクター中の核酸配列を含む、請求項１乃至請求項５のいずれか１項記載の方法。
【請求項７】
前記発現ベクターがプラスミド、レトロウイルス及びアデノウイルスからなる群から選択される、請求項６記載の方法。
【請求項８】
前記インジケーター核酸配列が検出可能な標識を含むか、検出可能な標識をコードする、請求項１乃至請求項７のいずれか１項記載の方法。
【請求項９】
前記インジケーター核酸配列が、検出可能な標識をコードする核酸配列に対してエフェクター配列を融合することによって作成される、請求項８記載の方法。
【請求項１０】
前記検出可能な標識が蛍光タンパク質、酵素、抗原及び抗体からなる群から選択される、請求項８又は請求項９記載の方法。
【請求項１１】
前記蛍光タンパク質が、Ｙ６６Ｈ、Ｙ６６Ｗ、Ｙ６６Ｆ、Ｓ６５Ｔ、Ｓ６５Ａ、Ｖ６８Ｌ、Ｑ６９Ｋ、Ｑ６９Ｍ、Ｓ７２Ａ、Ｔ２０３Ｉ、Ｅ２２２Ｇ、Ｖ１６３Ａ、Ｉ１６７Ｔ、Ｓ１７５Ｇ、Ｆ９９Ｓ、Ｍ１５３Ｔ、Ｖ１６３Ａ、Ｆ６４Ｌ、Ｙ１４５Ｆ、Ｎ１４９Ｋ、Ｔ２０３Ｙ、Ｔ２０３Ｙ、Ｔ２０３Ｈ、Ｓ２０２Ｆ及びＬ２３６Ｒからなる群から選択された１以上の変異を有する改変緑色蛍光タンパク質（ＧＦＰ）である、請求項１０記載の方法。
【請求項１２】
前記改変ＧＦＰがＦ６４Ｌ−Ｖ１６３Ａ−Ｅ２２２Ｇ、Ｆ６４Ｌ−Ｓ１７５Ｇ−Ｅ２２２Ｇ、Ｆ６４Ｌ−Ｓ６５Ｔ−Ｓ１７５Ｇ及びＦ６４Ｌ−Ｓ６５Ｔ−Ｖ１６３からなる群から選択される３つの変異体を有する、請求項１１記載の方法。
【請求項１３】
前記酵素がβガラクトシダーゼ、ニトロリダクターゼ、アルカリホスファターゼ、及びβラクタマーゼからなる群から選択される、請求項１０記載の方法。
【請求項１４】
前記モジュレーターが、有機化合物、無機化合物、ペプチド、ポリペプチド、タンパク質、炭水化物、脂質、核酸、ポリヌクレオチド及びタンパク質核酸からなる群から選択される、請求項１乃至請求項１３のいずれか１項記載の方法。
【請求項１５】
前記モジュレーターが、アナログ又は誘導体のような類似の有機化合物を含むコンビナトリアルライブラリーから選択される、請求項１乃至請求項１４のいずれか１項記載の方法。
【請求項１６】
前記細胞が真核生物細胞である、請求項１乃至請求項１５のいずれか１項記載の方法。
【請求項１７】
前記真核生物細胞が哺乳動物、植物、鳥類、真菌、魚類及び線虫類からなる群から選択され、該細胞が遺伝子的に改変されていてもされていなくてもよい、請求項１６記載の方法。
【請求項１８】
前記哺乳動物細胞がヒト細胞であり、該細胞が遺伝子的に改変されていてもされていなくてもよい、請求項１７記載の方法。
【請求項１９】
前記インジケーター核酸の前記分布が、画像化システムを用いて決定される、請求項１乃至請求項１８のいずれか１項記載の方法。
【手続補正書】
【提出日】平成18年4月12日(2006.4.12)
【手続補正１】
【補正対象書類名】特許請求の範囲
【補正対象項目名】請求項５８
【補正方法】変更
【補正の内容】
【請求項５８】
被験体において遺伝的欠陥を修正するための組成物の製造における核酸分子の使用であって、前記核酸分子は下記a)およびb)を含んでなり：
a) 皮膚細胞内で発現されたプレmRNAに該核酸分子の結合をターゲティングする1以上の標的結合ドメインであって、但し該プレmRNAが遺伝的欠陥を含む遺伝子によりコードされたものである、該ドメイン；および
b) 標的プレmRNAにトランススプライシングされるヌクレオチド配列；
かつ、該核酸分子が細胞内の核スプライシング成分により認識されるものである、上記使用。
【手続補正２】
【補正対象書類名】特許請求の範囲
【補正対象項目名】請求項５９
【補正方法】変更
【補正の内容】
【請求項５９】
皮膚細胞において遺伝子発現をイメージングするための組成物の製造における核酸分子の使用であって、前記核酸分子は下記a)およびb)を含んでなり：
a) 皮膚細胞内で発現されたプレmRNAに該核酸分子の結合をターゲティングする1以上の標的結合ドメインであって、但し該プレmRNAが遺伝的欠陥を含む遺伝子によりコードされたものである、該ドメイン；および
b) レポーター分子をコードする、標的プレmRNAにトランススプライシングされるヌクレオチド配列；
かつ、該核酸分子が細胞内の核スプライシング成分により認識されるものである、上記使用。
【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
相対移動可能な２つの部品の間のギャップをマスクするためのマスキング材料であって、
前記２つの部品にそれぞれ接触する、互いに分離した第１および第２のエッジ形成部を少なくとも有する細長いストリップと、前記第１および第２のエッジ形成部が互いに独立して可動であるように、前記第１および第２のエッジ形成部を互いに接続して蝶番動作させる可撓性ウェブ部と、前記２つの部品の一方が前記第１のエッジ形成部の接着剤のない表面に接触しかつ前記２つの部品の他方が前記第２のエッジ形成部に接触するように、前記２つの部品の一方に前記細長いストリップを取り付けるための、前記可撓性ウェブ部の片側上に配置された接着剤と、を含むマスキング材料。
【手続補正２】
【補正対象書類名】明細書
【補正対象項目名】０１１５
【補正方法】変更
【補正の内容】
【０１１５】
【図１】車両のスプレー塗装時にマスキングを必要とする車両ドアとピラーとの間のギャップを示す図である。
【図２】ギャップ内にある公知のマスキング材料の位置の概略図である。
【図３】図２に示したマスキング材料の圧縮の影響の概略図である。
【図４】本発明の第１の実施形態によるマスキング材料として用いる発泡物品の概略断面図である。
【図５】図１に示した車両ドアとピラーとの間のギャップをマスキングする図４の発泡物品を示す図である。
【図６】図４に示した発泡物品をマスキングする方法および装置を示す図である。
【図７】図６の方法および装置を用いて図４に示した発泡物品の接続ウェブに表面パターンを適用するためのパターン化接触表面を示す図である。
【図８】図６の方法および装置を用いて図４に示した発泡物品の接続ウェブに表面パターンを適用するためのパターン化接触表面を示す図である。
【図９】図６の方法および装置を用いて図４に示した発泡物品の接続ウェブに表面パターンを適用するためのパターン化接触表面を示す図である。
【図１０】図６の方法および装置で用いる接着分配システムを示す図である。
【図１１】図４の発泡物品への接着剤ストライプの配置を示す図である。
【図１２】図４の発泡物品への接着剤ストライプの配置を示す図である。
【図１３】図４の発泡物品への接着剤ストライプの配置を示す図である。
【図１４】図４の発泡物品への接着剤ストライプの配置を示す図である。
【図１５】図４の発泡物品への接着剤ストライプの配置を示す図である。
【図１６】図４に示した発泡物品のエッジ形成部の相対的な寸法の修正を示す図である。
【図１７】図４に示した発泡物品のエッジ形成部の相対的な寸法の修正を示す図である。
【図１８】図４に示した発泡物品の接続ウェブの位置の修正を示す図である。
【図１９】図４に示した発泡物品の接続ウェブの位置の修正を示す図である。
【図２０】図４に示した発泡物品の接続ウェブのサイズおよび／または形状の修正を示す図である。
【図２１】図４に示した発泡物品の接続ウェブのサイズおよび／または形状の修正を示す図である。
【図２２】図４に示した発泡物品の接続ウェブのサイズおよび／または形状の修正を示す図である。
【図２３】図４に示した発泡物品の接続ウェブのサイズおよび／または形状の修正を示す図である。
【図２４】本発明の第２の実施形態によるマスキング材料として用いる発泡物品の概略断面図である。
【図２５】図２４に示した発泡物品をマスキングする方法および装置を示す図である。
【図２６】図２４の発泡物品の修正を示す図である。
【図２７】本発明の第１の実施形態に係るマスキング材料の概略断面図である。
【図２８】本発明の第１の実施形態に係るマスキング材料の概略断面図である。
【図２９】本発明の第１の実施形態に係るマスキング材料の概略断面図である。
【図３０】本発明の第１の実施形態に係るマスキング材料の概略断面図である。
【図３１】本発明の第２の実施形態に係るマスキング材料の概略断面図である。
【図３２】本発明の第２の実施形態に係るマスキング材料の概略断面図である。
【図３３】本発明の第２の実施形態に係るマスキング材料の概略断面図である。
【図３４】本発明の第２の実施形態に係るマスキング材料の概略断面図である。
【図３５】図１のドアとドアポストとの間のギャップをマスキングする図２７のマスキング材料を示す図である。
【図３６】図２９に示したマスキング材料の製造方法を示す図である。
【図３７】本発明を実施するマスキング材料を製造する方法および装置を示す図である。
【図３８】本発明を実施するマスキング材料を製造する方法および装置を示す図である。
【図３９】本発明を実施するマスキング材料を製造する方法および装置を示す図である。
【図４０】本発明を実施するマスキング材料を製造する方法および装置を示す図である。
【図４１】本発明を実施するマスキング材料を製造する方法および装置を示す図である。